(57)【特許請求の範囲】
【請求項１】
機能選択が可能な集積回路の機能を選択する方法において、
前記集積回路の外部に設けられた一つの機能選択端子より、論理“Ｌ”レベル、論理“Ｈ”レベル、およびこれら論理“Ｌ”レベルと論理“Ｈ”レベルの中間のレベルを示す論理“Ｍ”レベルの中の一つを設定レベルとして前記集積回路に入力するステップと、
前記設定レベルと、前記論理“Ｌ”レベルと前記論理“Ｍ”レベルとの間の第１の閾値レベルとを比較して、第１の機能選択用入力レベルを第１の機能選択回路へ供給するステップと、
前記設定レベルと、前記論理“Ｍ”レベルと前記論理“Ｈ”レベルとの間の第２の閾値レベルとを比較して、第２の機能選択用入力レベルを第２の機能選択回路へ供給するステップと
を含む機能選択が可能な集積回路の機能選択方法。
【請求項２】
機能選択が可能な集積回路において、
前記集積回路の外部に取り付けられ、論理“Ｌ”レベル、論理“Ｈ”レベル、およびこれら論理“Ｌ”レベルと論理“Ｈ”レベルの中間のレベルを示す論理“Ｍ”レベルの中の一つを設定レベルとして前記集積回路に入力するための機能選択端子と、
前記論理“Ｌ”レベルと前記論理“Ｍ”レベルとの間の第１の閾値レベルを発生する第１の閾値レベル発生手段と、
前記論理“Ｍ”レベルと前記論理“Ｈ”レベルとの間の第２の閾値レベルを発生する第２の閾値レベル発生手段と、
前記設定レベルと前記第１の閾値レベルとを比較して、第１の機能選択用入力レベルを出力する第１の比較器と、
前記設定レベルと前記第２の閾値レベルとを比較して、第２の機能選択用入力レベルを出力する第２の比較器と、
前記第１の機能選択用入力レベルを入力する第１の機能選択回路と、
前記第２の機能選択用入力レベルを入力する第２の機能選択回路と
を有することを特徴とする機能選択が可能な集積回路。
【請求項３】
前記第１および第２の閾値レベル発生手段が、電源電圧を分圧する１つの抵抗分圧手段で構成されている、請求項２記載の機能選択が可能な集積回路。
【発明の詳細な説明】
【０００１】
【発明の属する技術分野】
本発明は機能選択が可能な集積回路およびその機能選択方法に関する。
【０００２】
【従来の技術】
集積回路（ＩＣ）には、外部に取り付けられた機能選択端子から設定されるレベルによって種々の機能を選択できるようにしたものが知られている。このような機能選択が可能な集積回路は、内部に機能選択回路を含み、この機能選択回路に入力する信号（入力レベル）が論理“Ｈ”レベルであるか論理“Ｌ”レベルであるかによって、集積回路の機能を選択することができる。
【０００３】
図２を参照して、従来の機能選択が可能な集積回路およびその機能選択方法について説明する。図２に示されるように、従来の機能選択が可能な集積回路２０は、集積回路２０の外部に取り付けられた一つの機能選択端子２１と、集積回路２０の内部に設けられた機能選択回路２２とを有する。機能選択端子２１は、直接、機能選択回路２２の入力端子２２ａに接続されている。
【０００４】
次に、図２を参照して、従来の機能選択方法について説明する。機能選択端子２１より、論理“Ｈ”レベルおよび論理“Ｌ”レベルの一つを設定レベルＶs として集積回路２０に入力する。この例では、機能選択端子２１を接地端子に接続することにより、論理“Ｌ”レベルが設定レベルＶs として集積回路２０に入力し、機能選択端子２１を電源電圧Ｖcc（例えば、Ｖcc＝５Ｖ）の電源端子２３に接続することにより、論理“Ｈ”レベルが設定レベルＶs として集積回路２０に入力する。この設定レベルＶs は、直接、入力レベルＶinとして機能選択回路２２に供給される。機能選択回路２２は、入力レベルＶinが論理“Ｌ”レベルのときは、集積回路２０を通常の動作モードで動作させ、入力レベルＶinが論理“Ｈ”レベルのときは、集積回路２０を所定の機能を実現する機能モードで動作させる。
【０００５】
このように、従来の機能選択方法では、機能選択端子２１で設定された２値の設定レベルＶs が、直接、機能選択回路２２の入力レベルＶinとして供給されている。このような構成により、集積回路２０を、通常モード或いは機能モードで動作させることができる。すなわち、従来の機能選択方法では、１つの機能選択端子２１に１つの機能を割り付けている。
【０００６】
【発明が解決しようとする課題】
したがって、従来の機能選択方法では、機能選択が可能な集積回路は、その選択可能な機能の数に比例した数の機能選択端子が必要となる。そのため、集積回路の端子数が増加し、集積回路が高価になるという問題がある。
【０００７】
したがって、本発明の課題は、上述した従来の問題点に鑑み、１つの機能選択端子で２つの機能を選択可能な集積回路およびその機能選択方法を提供することにある。
【０００８】
本発明の他の課題は、機能選択端子の数を削減した安価な、機能選択が可能な集積回路およびその機能選択方法を提供することにある。
【０００９】
本発明のさらに他の課題は、より多くの機能を追加できる、機能選択が可能な集積回路およびその機能選択方法を提供することにある。
【００１０】
【課題を解決するための手段】
本発明によれば、機能選択が可能な集積回路の機能を選択する方法において、集積回路の外部に設けられた一つの機能選択端子より、論理“Ｌ”レベル、論理“Ｈ”レベル、およびこれら論理“Ｌ”レベルと論理“Ｈ”レベルの中間のレベルを示す論理“Ｍ”レベルの中の一つを設定レベルとして集積回路に入力するステップと、設定レベルと、論理“Ｌ”レベルと論理“Ｍ”レベルとの間の第１の閾値レベルとを比較して、第１の機能選択用入力レベルを第１の機能選択回路へ供給するステップと、設定レベルと、論理“Ｍ”レベルと論理“Ｈ”レベルとの間の第２の閾値レベルとを比較して、第２の機能選択用入力レベルを第２の機能選択回路へ供給するステップとを含む機能選択が可能な集積回路の機能選択方法が得られる。
【００１１】
また、本発明によれば、機能選択が可能な集積回路において、集積回路の外部に取り付けられ、論理“Ｌ”レベル、論理“Ｈ”レベル、およびこれら論理“Ｌ”レベルと論理“Ｈ”レベルの中間のレベルを示す論理“Ｍ”レベルの中の一つを設定レベルとして集積回路に入力するための機能選択端子と、論理“Ｌ”レベルと論理“Ｍ”レベルとの間の第１の閾値レベルを発生する第１の閾値レベル発生手段と、論理“Ｍ”レベルと論理“Ｈ”レベルとの間の第２の閾値レベルを発生する第２の閾値レベル発生手段と、設定レベルと第１の閾値レベルとを比較して、第１の機能選択用入力レベルを出力する第１の比較器と、設定レベルと第２の閾値レベルとを比較して、第２の機能選択用入力レベルを出力する第２の比較器と、第１の機能選択用入力レベルを入力する第１の機能選択回路と、第２の機能選択用入力レベルを入力する第２の機能選択回路とを有することを特徴とする機能選択が可能な集積回路が得られる。
【００１２】
上記機能選択が可能な集積回路において、第１および第２の閾値レベル発生手段が、電源電圧を分圧する１つの抵抗分圧手段で構成されることが望ましい。
【００１３】
【発明の実施の形態】
以下、図面を参照して、本発明の実施の形態について詳細に説明する。
【００１４】
図１を参照すると、本発明の一実施形態による機能選択が可能な集積回路１０は、集積回路１０の外部に取り付けられた機能選択端子１１と、閾値レベル設定用の抵抗分圧回路１２と、第１および第２の比較器１３および１４と、第１および第２の機能選択回路１５および１６とを有する。
【００１５】
機能選択端子１１は、論理“Ｌ”レベル、論理“Ｈ”レベル、およびこれら論理“Ｌ”レベルと論理“Ｈ”レベルの中間のレベルを示す論理“Ｍ”レベルの中の一つを設定レベルＶs として集積回路１０に入力するためものである。本例において、機能選択端子１１を接地端子に接続することにより、論理“Ｌ”レベルが設定レベルＶs として集積回路１０に入力し、機能選択端子１１を電源電圧Ｖcc（例えば、Ｖcc＝５Ｖ）の電源端子１７に接続することにより、論理“Ｈ”レベルが設定レベルＶs として集積回路１０に入力し、機能選択端子１１をオープンにする（すなわち、接地端子と電源端子１７のいずれにも接続しない状態にする）ことにより、論理“Ｍ”レベルが設定レベルＶs として集積回路１０に入力する。したがって、設定レベルＶs は接地電圧（論理“Ｌ”レベル）、電源電圧（論理“Ｈ”レベル）、および中間電圧（論理“Ｍ”レベル）のいずれかをとる。接地電圧は０Ｖ、電源電圧Ｖccは５Ｖであり、中間電圧は０．８〜４．２Ｖの範囲の電圧である。
【００１６】
抵抗分圧回路１２は、電源端子１７と接地端子との間に直列に接続された３個の抵抗Ｒ1 ，Ｒ2 ，およびＲ3 から構成されている。抵抗分圧回路１２は、論理“Ｌ”レベルと論理“Ｍ”レベルとの間の第１の閾値レベルＶth1 と、論理“Ｍ”レベルと論理“Ｈ”レベルとの間の第２の閾値レベルＶth2 とを発生する。本例では、第１の閾値レベルＶth1 は０．８Ｖに等しく、第２の閾値レベルＶth2 は４．２Ｖに等しい。
【００１７】
第１の比較器１３は機能選択端子１１と抵抗分圧回路１２とに接続されている。第１の比較器１３は、設定レベルＶs と第１の閾値レベルＶth1 とを比較して、第１の機能選択用入力レベルＶin1 を出力する。設定レベルＶs が第１の閾値レベルＶth1 より低いとき、第１の比較器１３は第１の機能選択用入力レベルＶin1 として論理“Ｌ”レベル（０Ｖ）を出力する。設定レベルＶs が第１の閾値レベルＶth1 より高いとき、第１の比較器１３は第１の機能選択用入力レベルＶin1 として論理“Ｈ”レベル（５Ｖ）を出力する。
【００１８】
同様に、第２の比較器１４は機能選択端子１１と抵抗分圧回路１２とに接続されている。第２の比較器１４は、設定レベルＶs と第２の閾値レベルＶth2 とを比較して、第２の機能選択用入力レベルＶin2 を出力する。設定レベルＶs が第２の閾値レベルＶth2 より低いとき、第２の比較器１４は第２の機能選択用入力レベルＶin2 として論理“Ｌ”レベルを出力する。設定レベルＶs が第２の閾値レベルＶth2 より高いとき、第２の比較器１４は第２の機能選択用入力レベルＶin2 として論理“Ｈ”レベルを出力する。
【００１９】
第１の機能選択回路１５は、第１の機能選択用入力レベルＶin1 を入力する第１の入力端子１５ａを有する。同様に、第２の機能選択回路１６は、第２の機能選択用入力レベルＶin2 を入力する第２の入力端子１６ａを有する。
【００２０】
次に、図１を参照して、本実施形態の機能選択方法について説明する。最初に、機能選択端子１１を接地することにより、設定レベルとして論理“Ｌ”レベルを集積回路１０に入力した場合の動作について説明する。この場合、第１および第２の比較器１３および１４は、第１および第２の機能選択用入力レベルＶin1 およびＶin2 として両方とも論理“Ｌ”レベルを出力する。第１および第２の機能選択回路１５および１６には共に論理“Ｌ”レベルが入力するので、集積回路１０は通常の動作モードで動作する。
【００２１】
機能選択端子１１をオープンにして、設定レベルとして論理“Ｍ”レベルを集積回路１０に入力したとする。この場合、第１の比較器１３は第１の機能選択用入力レベルＶin1 として論理“Ｈ”レベルを出力し、第２の比較器１４は第２の機能選択用入力レベルＶin2 として論理“Ｌ”レベルを出力する。第１の機能選択回路１５にのみ論理“Ｈ”レベルが入力するので、集積回路１０は第１の機能を実現する第１の機能モードで動作する。
【００２２】
機能選択端子１１を電源端子１７に接続して、設定レベルとして論理“Ｈ”レベルを集積回路１０に入力したとする。この場合、第１および第２の比較器１３および１４は、第１および第２の機能選択用入力レベルＶin1 およびＶin2 として両方とも論理“Ｈ”レベルを出力する。第１および第２の機能選択回路１５および１６の両方に論理“Ｈ”レベルが入力するので、集積回路１０は第２の機能を実現する第２の機能モードで動作する。
【００２３】
このように、本発明の機能選択方法では、機能選択端子１１で設定された３値の設定レベルを入力しているので、集積回路１０を、通常モード、第１の機能モード、或いは第２の機能モードで動作させることができる。すなわち、本発明の機能選択方法では、１つの機能選択端子に２つの機能を割り付けている。
【００２４】
したがって、本発明の機能選択方法では、機能選択が可能な集積回路は、その選択可能な機能の数の半分の数の機能選択端子があれば良い。たとえば、集積回路の機能の数が６であれば、機能選択端子の数は３で済む。そのため、集積回路の端子数を削減でき、集積回路を安価にできる。これにより、端子数を増やすことなく、より多くの機能を集積回路に追加することができる。
【００２５】
本発明は上述した実施形態に限定せず、本発明の趣旨を逸脱しない範囲内で種々の変更・変形が可能なのは勿論である。
【００２６】
【発明の効果】
以上の説明から明らかなように、本発明によれば、機能選択端子から３値の設定レベルを入力しているので、１つの機能選択端子に２つの機能を割り付けることができる。したがって、機能選択端子の数を機能の数の半分まで減らすことができる。これにより、集積回路の端子数を削減でき、集積回路を安価に提供できる。また、端子数を増やすことなく、より多くの機能を集積回路に追加することができる。
【図面の簡単な説明】
【図１】本発明の一実施形態による機能選択が可能な集積回路の構成を示すブロック図である。
【図２】従来の機能選択が可能な集積回路の構成を示すブロック図である。
【符号の説明】
１０    集積回路
１１    機能選択端子
１２    抵抗分圧回路
１３，１４    比較器
１５，１６    機能選択回路
１７    電源端子
２０    集積回路
２１    機能選択端子
２２    機能選択回路
２３    電源端子
【図１】
0003636232.tif 000002
【図２】
0003636232.tif 000003